(57)【要約】【課題】遊技球の入球に際して、開口状態変更部材に及ぼされる衝撃を軽減することが出来る、新規な構造のパチンコ機の大入賞口装置を提供することを、目的とする。【解決手段】装置本体１２内で変位可能に配設された開口状態変更部材４８を装置本体１２に形成された開口４２から遊技盤９６の表面側に突出しないようにすると共に、遊技領域１００を流下してくる遊技球１０４の流下方向を装置本体１２の開口４２のほうへ変化させる誘導衝突面２４が形成された案内部材２２を装置本体１２の開口前方に設けた。【選択図】図１
2008148843.tif 000002
【特許請求の範囲】
【請求項１】
遊技盤の表面に形成された遊技領域を流下してくる遊技球を受け入れるための開口が形成されていると共に、該開口を通じて受け入れた遊技球を該遊技盤の裏側に排出する排出口が形成されている装置本体と、
前記開口から前記遊技盤の表面側に突出しないようにして前記装置本体内で変位可能に配設されており、該開口を遊技球が通過可能な開放状態と通過不能な閉鎖状態とに選択的に変化させる開口状態変更部材と、
前記開口が前記開放状態と前記閉鎖状態との何れか一方となるように、前記開口状態変更部材を駆動変位せしめる駆動機構と、
前記開口の前方において前記装置本体との間に遊技球が通過可能な隙間が形成される位置に設けられて、前記遊技領域を流下してくる遊技球の流下方向を該開口のほうへ変化させる誘導衝突面が形成された案内部材と
を、備えていることを特徴とするパチンコ機の大入賞口装置。
【請求項２】
前記開口状態変更部材が一軸回りに回動可能に配されている請求項１に記載のパチンコ機の大入賞口装置。
【請求項３】
前記開口状態変更部材には、前記排出口に向かって傾斜しており、前記開口を通じて前記装置本体内に入ってきた遊技球を該排出口へと案内する案内面が形成されている請求項１に記載のパチンコ機の大入賞口装置。
【発明の詳細な説明】
【技術分野】
【０００１】
本発明は、パチンコ機の大入賞口装置に関するものである。
【背景技術】
【０００２】
従来から、始動入賞装置への遊技球の入賞に基づいて変動表示が開始される複数の特別図柄が所定の図柄組み合わせで停止表示された場合に遊技球の入球が可能となって遊技者に有利な状態となる一方、それ以外の場合には、遊技球の入球が不能とされて遊技者に不利な状態となる大入賞口装置を遊技盤に設けたパチンコ機が知られている。
【０００３】
この種のパチンコ機の大入賞口装置においては、特許文献１に記載されているように、入球口を覆蓋可能に配された扉状部材を駆動機構によって駆動変位せしめることにより、遊技球の入球が可能な状態と不能な状態とを選択的にとる構造が、一般的に採用されている。
【０００４】
ところで、特許文献１に記載の如き構造とされた大入賞口装置においては、前方に倒れるように駆動せしめられた扉状部材によって遊技盤面上を流下する遊技球を受けることにより、遊技球の流下方向を変化させて、遊技球を入球口に入球させるようになっていることから、遊技盤面上を流下する遊技球が衝突した際の衝撃によって、扉状部材が破損したり、駆動機構に悪影響が及ぼされたりするおそれがあった。
【０００５】
また、近年のパチンコ機においては、大型の液晶表示装置を採用する傾向にあることから、大型液晶表示装置の採用に伴う大入賞口装置の配設スペースの縮小を考慮して、特許文献２に記載されているように、駆動機構によって駆動変位せしめられる開口状態変更部材を入球口内に配設し、開口状態変更部材を入球口から突出させることによって遊技盤面上を流下する遊技球が入球口に入球可能な状態となるようにする一方、開口状態変更部材を入球口から突出させないようにすることで遊技盤面上を流下する遊技球が入球口に入球不能となるようにした特別可能入賞装置が提案されている。
【０００６】
しかしながら、特許文献２に記載の大入賞口装置においても、入球口から突出せしめられた開口状態変更部材によって遊技盤面上を流下する遊技球を受けることにより、遊技球の流下方向を変化させて、遊技球を入球口に入球させるようになっていることから、特許文献１に記載の如き大入賞口装置と同様に、遊技球の衝突時の衝撃によって開口状態変更部材が破損したり、駆動機構に悪影響が及ぼされるおそれがあった。
【０００７】
【特許文献１】特開２００６−２６３２６５号公報
【特許文献２】特開２００６−１４１８３１号公報
【発明の開示】
【発明が解決しようとする課題】
【０００８】
ここにおいて、本発明は、上述の如き事情を背景として為されたものであって、その解決課題とするところは、遊技球の入球に際して、開口状態変更部材に及ぼされる衝撃を軽減することが出来る、新規な構造のパチンコ機の大入賞口装置を提供することにある。
【課題を解決するための手段】
【０００９】
以下、このような課題を解決するために為された本発明の態様を記載する。なお、以下に記載の各態様において採用される構成要素は、可能な限り任意の組み合わせで採用可能である。
【００１０】
本発明の大入賞口装置は、遊技盤の表面に形成された遊技領域を流下してくる遊技球を受け入れるための開口が形成されていると共に、該開口を通じて受け入れた遊技球を遊技盤の裏側に排出する排出口が形成されている装置本体を備えており、かかる装置本体に形成された開口から遊技盤の表面側に突出しないようにして装置本体内で変位可能に配設された開口状態変更部材を駆動機構によって駆動せしめて、開口を遊技球が通過可能な開放状態と通過不能な閉鎖状態の何れか一方にすると共に、遊技領域を流下してくる遊技球の流下方向を装置本体に形成された開口のほうへ変化させる誘導衝突面が形成された案内部材を、装置本体の開口の前方において装置本体との間に遊技球が通過可能な隙間が形成される位置に設けたことを、特徴とする。
【００１１】
このような本発明に従う構造とされたパチンコ機の大入賞口装置においては、装置本体内で変位可能に配設された開口状態変更部材が装置本体に形成された開口から遊技盤の表面側に突出しないようにされていることから、遊技領域を流下する遊技球が開口状態変更部材に対して直接衝突しないようになっている。また、遊技領域を流下してくる遊技球の流下方向を装置本体の開口のほうへ変化させる誘導衝突面が形成された案内部材が装置本体の開口前方に設けられていることから、遊技領域を流下する遊技球は、装置本体の開口前方に設けられた案内部材の誘導衝突面に衝突して、その流下方向が装置本体の開口のほうへ変化せしめられると共に、その勢いが弱められてから装置本体の開口に入球するようになっている。
【００１２】
従って、本発明のパチンコ機の大入賞口装置においては、遊技領域を流下する遊技球が、開口状態変更部材に対して、直接衝突せずに、案内部材の誘導衝突面に衝突して勢いが弱められてから衝突するようになっていることから、開口状態変更部材に及ぼされる衝撃を有利に軽減することが可能となる。
【００１３】
なお、本発明において、遊技球が通過不能な状態とは、開口状態変更部材によって装置本体に形成された開口が覆蓋されている状態だけではなく、遊技球が通過出来ない程度の隙間が形成されている状態も含む。
【００１４】
また、本発明において、「装置本体の開口の前方に案内部材を位置せしめる」とは、装置本体に形成された開口を正面から見た場合に、かかる開口と重なる位置に対して、案内部材を位置せしめることをいう。
【００１５】
さらに、本発明においては、開口状態変更部材が一軸回りに回動可能に配されていることが望ましい。これにより、開口状態変更部材の駆動変位量が小さくても、装置本体に形成された開口を遊技球が通過可能な状態にすることを、有利に実現することが可能となる。
【００１６】
更にまた、本発明においては、開口状態変更部材に対して、排出口に向かって傾斜する案内面が形成されており、装置本体に形成された開口を通じて装置本体内に入ってきた遊技球がかかる案内面によって排出口へ案内されるようになっていることが望ましい。これにより、装置本体内に入ってきた遊技球を排出口へ導くことが有利に実現され得る。
【発明を実施するための最良の形態】
【００１７】
以下、本発明を更に具体的に明らかにするために、本発明の実施形態について、図面を参照しつつ、詳細に説明する。
【００１８】
図１乃至５には、本発明の一実施形態としてのパチンコ機の大入賞口装置１０が示されている。なお、以下の説明において、上下左右方向は、原則として、図１中の上下左右方向をいうものとする。
【００１９】
この大入賞口装置１０は、装置本体１２を備えており、かかる装置本体１２は、第一構成部材１４と第二構成部材１６を含んで構成されている。
【００２０】
第一構成部材１４は、ＡＢＳ等の硬質の合成樹脂材料によって形成されており、全体として矩形筒体形状を呈している。また、第一構成部材１４の一方の開口端部には、全周に亘って外方に突出する取付片１８が一体形成されている。更に、第一構成部材１４の一方の開口端面には、中心孔１９の上方において、中心孔１９の幅方向（図１中の左右方向）の全長に亘って延びる庇２０が設けられている。
【００２１】
また、第一構成部材１４の一方の開口端面から前方（図３における下方）へ離隔した位置には、案内部材２２が配設されている。この案内部材２２は、略一定の断面形状でストレートに延びており、全体として矩形ブロック形状を呈している。特に本実施形態の場合、案内部材２２の長手方向寸法は、中心孔１９の幅方向寸法と略同じとされている。なお、案内部材２２は、ＡＢＳ等の硬質の合成樹脂材料によって形成されている。
【００２２】
また、案内部材２２は、中心孔１９のほうへ行くに従って次第に高さ寸法が小さくなるようにされている。これにより、案内部材２２の上面２４は、中心孔１９のほうへ下る傾斜面とされている。
【００２３】
さらに、案内部材２２の長手方向両端には、それぞれ、幅方向外方へ突出する取付片２６が一体形成されている。これら取付片２６，２６は、何れも、略一定の断面形状でストレートに延びるように形成されており、全体として矩形ブロック形状を呈している。また、本実施形態では、各取付片２６は、案内部材２２の長手方向外方に行くに従って次第に高さ寸法が小さくなるようにされている。これにより、各取付片２６の上面は、案内部材２２の長手方向において内側から外側へと下る傾斜面とされている。なお、本実施形態では、各取付片２６の最大高さ寸法が、案内部材２２の最大高さ寸法よりも大きくされている。
【００２４】
このような構造とされた案内部材２２は、その長手方向両端に一体形成された一対の取付片２６，２６が、それぞれ、第一構成部材１４の一方の開口端面に対して固定されることにより、第一構成部材１４に対して取り付けられるようになっている。
【００２５】
そして、上述の如く案内部材２２が第一構成部材１４に取り付けられることによって、遊技球が通過可能な距離だけ中心孔１９の一方の開口端から前方に離隔した位置に、案内部材２２が位置せしめられるようになっている。換言すれば、装置本体１２の前方において、案内部材２２と装置本体１２を構成する第一構成部材１４との間には、遊技球が通過可能な隙間が形成されているのである。特に本実施形態では、中心孔１９の開口方向での投影において、中心孔１９の高さ方向中間部分に案内部材２２が位置せしめられるようになっている。
【００２６】
一方、第二構成部材１６は、第一構成部材１４と同様に、ＡＢＳ等の硬質の合成樹脂材料によって形成されており、全体として矩形筒体形状を呈している。また、第二構成部材１６の一方の開口端部には、中心孔２８の幅方向（図１中の左右方向）外方に突出する取付片３０，３０が一体形成されている。
【００２７】
更にまた、第二構成部材１６の中心孔２８内には、中心孔２８を覆蓋するようにして、板部材３２が配設されている。そこにおいて、本実施形態の板部材３２は、一方の開口端側において、下端よりも上端が他方の開口端側に位置せしめられるようにして、中心孔２８内に配設されている。即ち、本実施形態の場合、板部材３２は、中心孔２８の開口方向に直交するように配設されておらず、中心孔２８の開口方向に対して直交する方向に傾斜した状態で配設されているのである。
【００２８】
また、板部材３２には、長手方向（図１中の左右方向）中間部分において、板厚方向と略同じ方向に貫通する貫通穴３４が形成されている。更にまた、板部材３２には、貫通穴３４の左右両側において、板厚方向に突出するガイド片３６，３８が設けられており、各ガイド片３６，３８の突出先端面は、板部材３２の長手方向において外側から内側に行くに従って次第に板部材３２に接近する傾斜面とされている。なお、本実施形態では、貫通穴３４の右側に位置するガイド片３８の突出先端面には段差が形成されており、かかる段差を挟んで貫通穴３４側にある傾斜面のほうが、貫通穴３４とは反対側にある傾斜面よりも板部材３２側に位置せしめられている。
【００２９】
上述の如き構造とされた第一構成部材１４と第二構成部材１６は、第一構成部材１４における他方の開口端面に対して第二構成部材１６における一方の開口端面が重ね合わされた状態で、ビス止め固定されるようになっている。これにより、第一構成部材１４によって側壁が構成されていると共に、第二構成部材１６の中心孔２８内に配設された板部材３２によって奥壁４０が構成されており、更に、奥壁４０が位置するほうとは反対側において奥壁４０と略同じ大きさの入口４２が形成されている凹室４４を備えた装置本体１２が形成されるようになっている。
【００３０】
そこにおいて、奥壁４０に突設されたガイド片３６，３８は、上述の如く形成された凹室４４の入口４２から外側に突出しないようにして、凹室４４内に位置せしめられている。
【００３１】
また、奥壁４０の裏側には、従来から公知の近接スイッチによって構成された検出スイッチ４６が配設されている。そこにおいて、本実施形態では、第二構成部材１６の中心孔２８内に位置せしめられて、奥壁４０の裏面に重ね合わせられた状態で、検出スイッチ４６が配設されており、特に本実施形態では、検出スイッチ４６の長手方向が、奥壁４０の長手方向（図１中の左右方向）と一致するようになっている。即ち、本実施形態では、横向きに立てられた状態で、奥壁４０の裏側に検出スイッチ４６が配設されているのである。また、上述の如く奥壁４０の裏面に重ね合わされた状態で検出スイッチ４６が配設されていることにより、検出スイッチ４６において厚さ方向に貫通するように形成されて、その内周面が検出スイッチ４６の厚さ方向に対して略平行に延びている、遊技球が通過可能な検出用開口部４７は、その内周面が凹室４４の開口方向に対して傾斜する方向に延びるようになっている。
【００３２】
また、上述の如く形成された凹室４４内には、開口状態変更部材としての可動部材４８が配されている。この可動部材４８は、ＡＢＳ等の硬質の合成樹脂材料によって形成されており、全体として長手平板形状を呈する本体部５０の幅方向一端側において本体部５０の板面に交差する方向に突出する突出部５２が本体部５０の長手方向の全長に亘って一体形成された構造とされている。そこにおいて、本実施形態では、突出部５２の突出方向と本体部５０の板面との為す角度が鋭角となるようにして、突出部５２が本体部５０の幅方向一端側に突出形成されている。
【００３３】
また、本体部５０の幅方向他端側には、その長手方向両端において、長手方向外方に突出する支持軸５４，５４が設けられている。更にまた、本体部５０には、その幅方向他端側であって、且つ、長手方向一端側において、支持軸５４の軸直角方向外方に向かって突出する操作片５６が設けられており、かかる操作片５６の突出端には、支持軸５４の中心軸線に対して略平行に延びる操作突起５８が設けられている。
【００３４】
このような構造とされた可動部材４８は、凹室４４の側壁の奥側部分に開口形成された凹部（図示せず）に対して支持軸５４，５４が嵌め入れられることにより、一軸回りに回動可能な状態で、凹室４４内に配設されている。特に本実施形態では、突出部５２が凹室４４の底面に向かって突出するようにして、可動部材４８が凹室４４内で一軸回りに回動可能な状態で配設されている。これにより、後述する図１３に示されているように、突出部５２の先端が凹室４４の底面に当接した状態であっても、本体部５０の上面６２（本体部５０の両方の板面のうち突出部５２が突出するほうとは反対側に位置するほうの板面）が奥壁４０のほうへ下る傾斜面とされている。また、可動部材４８において、突出部５２の凹室入口側の側面（以下、凹室入口側側面６４と称する）と本体部５０の上面６２によって形成された、凹室４４の入口４２付近に位置せしめられる角部（以下、凹室入口側角部６６と称する）は、後述する図１３に示されているように、突出部５２の先端が凹室４４の底面に当接した状態で、凹室４４の入口４２から外側に突出しないようになっている。更にまた、可動部材４８の上面６２の下流端は、図５に示されているように、突出部５２の先端が凹室４４の底面から離隔した位置において、貫通穴３４の内周面と略同じ高さに位置せしめられている。
【００３５】
なお、本実施形態では、各支持軸５４が嵌め入れられる凹部は、第一構成部材１４の内周面と外周面と他方の開口端面に開口する切欠状凹所における他方の開口端面に開口する部分が第二構成部材１６によって覆蓋されることによって形成されている。それ故、本実施形態では、第一構成部材１４と第二構成部材１６の取付状態が解除されない限り、支持軸５４の凹部からの抜け出しが防止されるようになっている。
【００３６】
また、装置本体１２の後方には、取付部材６８を介して、駆動源としてのソレノイド７０が取り付けられており、かかるソレノイド７０のプランジャ７２と可動部材４８が、図６及び図７に示されているように、駆動力伝達部材７４によって連結されるようになっている。この駆動力伝達部材７４は、ＡＢＳ等の硬質の合成樹脂材料によって形成されており、プランジャ７２に連結される第一連結部７８と可動部材４８に連結される第二連結部８２を備えている。そこにおいて、本実施形態では、第一連結部７８は、全体として厚肉の平板形状を呈しており、その側面に開口する凹所７６を備えている。また、第二連結部８２は、全体として矩形平板形状とされており、第一連結部７８の側面に開口形成された凹所７６の開口方向に直交し、且つ、その板厚方向が凹所７６の開口方向と同じになるようにして、第一連結部７８に突設されている。
【００３７】
そして、第一連結部７８において側面に開口形成された凹所７６に対してプランジャ７２を軸直角方向にスライド変位せしめてプランジャ７２の先端を凹所７６に収容位置せしめると共に、プランジャ７２の本体部分を第一連結部７８に形成された切欠８４内に収容位置せしめることにより、第二連結部８２がプランジャ７２の軸方向に突出するようにして、プランジャ７２と駆動力伝達部材７４が連結されるようになっている。
【００３８】
また、第二連結部８２において板厚方向に貫通形成された誘導孔８０に対して操作突起５８が挿通配置せしめられることにより、駆動力伝達部材７４と可動部材４８が連結されるようになっている。そこにおいて、第二連結部８２に形成された誘導孔８０の内周面には、第二連結部８２の突出方向、即ち、プランジャ７２の変位方向となるプランジャ７２の軸方向に対して所定角度：αだけ傾斜して、プランジャ７２が駆動変位せしめられた際に操作突起５８を案内するガイド面８６が形成されている。第二連結部８２の突出方向（プランジャ７２の変位方向）に対するガイド面８６の傾斜角度：αは、好ましくは３０度以下、より好ましくは１０〜２０度に設定されるようになっている。
【００３９】
このような構造とされた大入賞口装置１０は、図８に示されているように、遊技盤８８に取り付けられるようになっている。具体的には、図９に示されているように、遊技盤８８を構成する遊技板９０に形成された取付穴９１に装置本体１２が挿通配置された状態で、装置本体１２を構成する第一構成部材１４の取付片１８が、遊技板９０の表面に重ね合わされて、図示しないネジやピン等で四隅を固定されることにより、遊技板９０に取り付けられるようになっている。これにより、装置本体１２に形成された凹室４４の入口４２が遊技板９０の表面側に開口することとなる。なお、遊技盤８８には、大入賞口装置１０の他に、液晶表示装置９２や始動入賞装置９４，多数の遊技釘９６等が設けられており、これら大入賞口装置１０や液晶表示装置９２，始動入賞装置９４，多数の遊技釘９６等は、遊技板９０の表面に突設されたレールセット９８で囲まれることによって形成された遊技領域１００内に位置せしめられている。
【００４０】
また、このように大入賞口装置１０等が設けられた遊技盤８８は、パチンコ機の中枠に取り付けられるようになっており、この状態で、大入賞口装置１０等が位置せしめられている遊技領域１００は、遊技盤８８を覆うように配されたガラス枠によって保持されているガラス板１０２（図９参照）を通じて外部から視認出来るようになっている。
【００４１】
そして、中枠に突設された操作ハンドルに対して回動可能に組み付けられた操作レバーを遊技者が回動操作することによって遊技領域１００へ向けて発射された遊技球は、遊技領域１００に到達した後、遊技領域１００を流下するようになっている。
【００４２】
そこにおいて、遊技領域１００に設けられた大入賞口装置１０は、通常、ソレノイド７０への通電が行われていない状態とされている。この状態では、図６や図７に示されているように、操作突起５８は、誘導孔８０内において第二連結部８２の基端側に位置せしめられている。これにより、図１０に示されているように、可動部材４８が凹室４４の入口４２から外側に突出しない状態で、可動部材４８における突出部５２の先端が凹室４４の底面から離隔位置せしめられて、可動部材４８の凹室入口側角部６６と凹室４４の天井面との離隔距離：Ｌが遊技球１０４の直径よりも小さくされるようになっている。その結果、ソレノイド７０への通電が行われていない状態では、遊技球１０４の大入賞口装置１０への入球が可動部材４８によって阻止されるようになっている（図１０参照）。
【００４３】
従って、図１０に示されているように、遊技領域１００を流下する遊技球１０４が凹室４４の入口４２前方に位置せしめられた案内部材２２の上面２４に衝突した後、凹室４４の入口４２に向かって移動してきたとしても、凹室４４内には入れないようになっている。
【００４４】
一方、遊技領域１００を流下する遊技球が始動入賞装置９４に入球すると、液晶表示装置９２において複数の特別図柄の変動表示が開始される。そして、所定時間が経過した後、液晶表示装置９２において複数の特別図柄が予め定められた所定の図柄組み合わせで停止表示されると、所定の作動条件に従ってソレノイド７０への通電が行われる。
【００４５】
そこにおいて、上述の如き構造とされた大入賞口装置１０においては、ソレノイド７０への通電が行われると、プランジャ７２が引込作動せしめられるようになっている。これにより、誘導孔８０内において第二連結部８２の基端側に位置せしめられていた操作突起５８が、誘導孔８０の内周面に形成されたガイド面８６によって案内されて、図１１や図１２に示されているように、誘導孔８０内において第二連結部８２の突出端側に位置せしめられるようになる。その結果、可動部材４８が支持軸５４回りで回動せしめられることとなり、図１３に示されているように、可動部材４８が凹室４４の入口４２から外側に突出しない状態で、可動部材４８における突出部５２の先端が凹室４４の底面に当接せしめられて、可動部材４８の凹室入口側角部６６と凹室４４の天井面との離隔距離：Ｌが遊技球１０４の直径よりも大きくされるようになっている。即ち、ソレノイド７０への通電が行われている状態では、遊技球１０４の大入賞口装置１０への入球が許容されるようになっているのである。
【００４６】
そして、図１３に示されているように、遊技領域１００を流下する遊技球１０４が、凹室４４の入口４２前方に位置せしめられた案内部材２２の上面２４に衝突すると、遊技球１０４は、その流下方向が変化せしめられて、凹室４４の入口４２に向かって移動し、凹室４４の入口４２から凹室４４内に入るようになっている。
【００４７】
特に本実施形態では、上述の如く可動部材４８の突出部５２の先端が凹室４４の底面に当接せしめられた状態で、案内部材２２の上面２４の下流端が可動部材４８の凹室入口側角部６６よりも上方に位置せしめられるようになっていることから、案内部材２２の上面２４に衝突した遊技球１０４を凹室４４に入れることが有利に実現され得るようになっている。
【００４８】
また、このようにして凹室４４内に入ってきた遊技球１０４は、ガイド片３６，３８の突出先端面に沿って可動部材４８の上面６２を転がり、奥壁４０に形成された貫通穴３４へと案内された後、貫通穴３４を通じて遊技盤８８の裏側に排出されるようになっている。そこにおいて、可動部材４８の上面６２の下流端は、貫通穴３４の内周面と略同じ高さに位置せしめられており、それによって、遊技球１０４を貫通穴３４から排出することが有利に実現されるようになっている。
【００４９】
なお、上述の説明から明らかなように、本実施形態では、凹室４４の入口４２によって開口が形成されており、貫通穴３４によって排出口が形成されている。また、本実施形態では、可動部材４８の凹室入口側角部６６と凹室４４の天井面との離隔距離：Ｌが遊技球１０４の直径よりも小さい状態が閉鎖状態とされている一方、かかる離隔距離：Ｌが遊技球１０４の直径よりも大きい状態が開放状態とされている。更に、本実施形態では、ソレノイド７０と駆動力伝達部材７４によって駆動機構が構成されている。更にまた、本実施形態では、案内部材２２の上面２４によって誘導傾斜面が形成されている。また、本実施形態では、可動部材４８の上面６２によって案内面が形成されている。
【００５０】
上述の如き構造とされた大入賞口装置１０においては、可動部材４８が凹室４４内に収容位置せしめられていることから、遊技領域１００を流下する遊技球１０４が可動部材４８に直接衝突することがない。また、凹室４４内に入ってくる遊技球１０４は、案内部材２２の上面２４に衝突して勢いが弱められている。それ故、遊技領域１００を流下する遊技球１０４が凹室４４に入る際に可動部材４８に衝突しても、可動部材４８に及ぼされる衝撃を軽減することが出来るようになっている。
【００５１】
また、本実施形態では、可動部材４８が支持軸５４回りで回動可能な状態で凹室４４内に配設されていることから、可動部材４８の駆動変位量が小さくても、遊技球１０４が入球可能な状態と入球不能な状態との切換を有利に実現することが可能となる。
【００５２】
さらに、本実施形態では、凹室４４の入口４２が閉鎖されている状態で可動部材４８に遊技球１０４が衝突すると、可動部材４８に対して凹室４４の奥行方向に衝撃力が加わるようになっている。即ち、ソレノイド７０と駆動力伝達部材７４によって可動部材４８が駆動変位せしめられる方向とは異なる方向に遊技球１０４の衝突に起因する衝撃力が加わるようになっている。それ故、駆動力伝達部材７４やソレノイド７０に対して衝撃が及ぼされ難いようにすることが可能となる。
【００５３】
さらに、本実施形態では、可動部材４８の上面６２が貫通穴３４が形成された奥壁４０に向かって下る傾斜面とされていることから、凹室４４内に入ってきた遊技球１０４を貫通穴３４を通じて遊技盤８８の裏側に排出することが有利に実現され得るようになっている。
【００５４】
更にまた、本実施形態では、操作突起５８を案内するガイド面８６が適当な傾斜角度：αで形成されていることから、ソレノイド７０への通電が行われていない状態で、可動部材４８の凹室入口側角部６６を下げようとすると、操作突起５８がガイド面８６に及ぼす力の方向とガイド面８６の傾斜角度：αとの関係で、操作突起５８のガイド面８６に沿った摺動が阻止されるようになっている。即ち、遊技球の入球が阻止された状態が維持されるようになっているのである。それ故、本実施形態では、ソレノイド７０への通電が行われていない状態で凹室４４内に遊技球を入れようとする不正行為を有利に防止することが可能となる。
【００５５】
また、本実施形態では、遊技球の入球が可能な状態と不能な状態との切り換えが、可動部材４８の小さな駆動変位量で実現されるようになっていることから、遊技球の入球が可能な状態であるのか不能な状態であるのかを区別することが難しくなっている。従って、本実施形態では、遊技球の入球が可能な状態で液晶表示装置９２における演出表示に遊技者の注意を惹きつける等することにより、演出効果の多様化を図ることが可能となる。
【００５６】
さらに、本実施形態では、案内部材２２が装置本体１２に設けられていることから、案内部材２２の上面２４と凹室４４の入口４２との位置関係を有利に設定することが可能となる。
【００５７】
更にまた、本実施形態では、検出スイッチ４６が奥壁４０に重ね合わされるようにして配設されていることから、装置本体１２、延いては、大入賞口装置１０の高さ方向の寸法を小さくすることが可能となる。
【００５８】
特に本実施形態では、検出スイッチ４６が横向きにされていることから、装置本体１２、延いては、大入賞口装置１０の高さ方向の寸法を一層小さくすることが可能となる。
【００５９】
加えて、本実施形態では、検出スイッチ４６が凹室４４の開口方向に直交する方向に対して傾斜して配設されていると共に、検出スイッチ４６の検出用開口部４７の内周面が検出スイッチ４６の厚さ方向に対して略平行に延びていることから、検出用開口部４７の内周面において遊技球が転動する部分が、装置本体１２の前方から後方に向かって下る傾斜面となり、その結果、遊技球を遊技盤８８の裏側に排出することが有利に実現され得ることとなる。
【００６０】
また、本実施形態では、凹室４４の入口４２前方において、案内部材２２との間に遊技球が通過出来る隙間が形成されていることから、凹室４４の入口４２前方に案内部材２２が設けられていることにより、遊技球が凹室４４の入口４２前方で停留してしまうことを有利に回避することが可能となる。
【００６１】
さらに、本実施形態では、凹室４４の入口４２の上方において、庇２０が設けられていることから、遊技領域１００を流下する遊技球を、庇２０に衝突させて、案内部材２２のほうへ誘導することが可能となる。それ故、遊技領域１００を流下する遊技球が大入賞口装置１０の前方をそのまま通過してしまわないようにすることが可能となる。
【００６２】
更にまた、本実施形態では、凹室４４内に遊技球１０４が入ってくることが許容された状態で、可動部材４８における突出部５２の先端が凹室４４の底面に当接していることから、凹室４４内に入ってくる遊技球１０４が可動部材４８に衝突しても、かかる遊技球１０４の衝突に起因して可動部材４８が動いてしまうことを有利に回避することが可能となる。その結果、遊技球１０４の衝突に起因する衝撃が駆動力伝達部材７４やソレノイド７０に及ぼされ難いようにすることが可能となる。
【００６３】
以上、本発明の一実施形態について詳述してきたが、これはあくまでも例示であって、本発明は、かかる実施形態における具体的な記載によって、何等、限定的に解釈されるものではない。
【００６４】
例えば、図１４に示されているように、遊技盤８８のほうへ行くに従って下る傾斜面が上面１０５に形成された案内部材１０６をガラス板１０２に設けるようにしても良い。なお、理解を容易にするために、図１４においては、第一の実施形態と同様な構造とされた部材及び部位については、第一の実施形態と同一の符号を付してある。
【００６５】
また、案内部材２２の最大高さ寸法と取付片２６の最大高さ寸法が同じであっても良い。
【００６６】
さらに、開口状態変更部材は、凹室４４の入口４２において上下方向に変位可能な棒状乃至は板状の部材であっても良い。例えば、開口状態変更部材としてロッドやバーのような棒状部材を、凹室４４の入口４２において、その軸方向（長手方向）両端で凹室４４の上下方向に変位可能に支持した状態で配設するようにしても良い。この場合、例えば、開口状態変更部材（棒状部材）を凹室４４の高さ方向の略中央に位置せしめることによって遊技球が凹室４４内に入ってくることを阻止する一方、開口状態変更部材（棒状部材）を凹室４４の底面乃至は天井面に対して当接せしめることによって遊技球が凹室４４内に入ってくることを許容することとなる。また、開口状態変更部材（棒状部材）は、凹室４４の開口方向から見た場合に上下方向に変位していれば良く、例えば、開口状態変更部材（棒状部材）をその中心軸線に対して平行に延びる回動中心軸線回りに回動させることにより、凹室４４の開口方向から見た場合に上下方向に変位するようになっていても良い。
【００６７】
その他、一々列挙はしないが、本発明は、当業者の知識に基づいて種々なる変更，修正，改良等を加えた態様において実施され得るものであり、また、そのような実施態様が本発明の趣旨を逸脱しない限り、何れも、本発明の範囲内に含まれるものであることは、言うまでもない。
【図面の簡単な説明】
【００６８】
【図１】本発明の一実施形態としての大入賞口装置を示す斜視図。
【図２】同大入賞口装置の正面図。
【図３】同大入賞口装置の上面図。
【図４】同大入賞口装置の右側面図。
【図５】図２におけるＶ−Ｖ断面図。
【図６】図１の大入賞口装置に採用されている駆動機構を示す斜視図。
【図７】同駆動機構を示す側面図。
【図８】図１の大入賞口装置の遊技盤への取付状態を示す正面図。
【図９】図１の大入賞口装置の遊技盤への取付状態を示す断面図。
【図１０】図１の大入賞口装置の初期状態を説明するための断面図。
【図１１】駆動機構の作動状態を示す斜視図。
【図１２】駆動機構の作動状態を示す側面図。
【図１３】図１の大入賞口装置の作動状態を説明するための断面図。
【図１４】本発明の他の態様を説明するための断面図。
【符号の説明】
【００６９】
１０：大入賞口装置，１２：装置本体，２２：案内部材，２４：上面，３４：貫通穴，４２：入口，４８：可動部材，７０：ソレノイド，７４：駆動力伝達部材，８８：遊技盤，１００：遊技領域
【図１】
2008148843.tif 000003
【図２】
2008148843.tif 000004
【図３】
2008148843.tif 000005
【図４】
2008148843.tif 000006
【図５】
2008148843.tif 000007
【図６】
2008148843.tif 000008
【図７】
2008148843.tif 000009
【図８】
2008148843.tif 000010
【図９】
2008148843.tif 000011
【図１０】
2008148843.tif 000012
【図１１】
2008148843.tif 000013
【図１２】
2008148843.tif 000014
【図１３】
2008148843.tif 000015
【図１４】
2008148843.tif 000016